(57)【要約】  分割サイクルの航空機エンジンはクランクシャフト軸線回りに回転するクランクシャフトを含む。動力ピストンは動力シリンダーの中に摺動可能に収容され、動力ピストンがクランクシャフトの単一の回転の間に膨張行程と排気行程を通して往復運動をするように、クランクシャフトと作動可能に連結されている。圧縮ピストンは圧縮シリンダーの中に摺動可能に収容され、圧縮ピストンがクランクシャフトの単一の回転の間に吸気行程と圧縮行程を通して往復運動をするように、クランクシャフトと作動可能に連結されている。ガスクロスオーバー通路が圧縮シリンダーと動力シリンダーを作動可能に相互に連結する。空気リザーバーはリザーバー通路によってガスクロスオーバー通路と作動可能に連結されている。空気リザーバーは圧縮空気を受け取り且つ配送するべく選択的に作動可能である。エンジンは航空機に搭載され、空気リザーバーが航空機中に配置される。
2010522837.tif 000002
【特許請求の範囲】
【請求項１】
エンジンのクランクシャフト軸線を中心として回転するクランクシャフト、
該クランクシャフトの１回転中の膨張行程と排気行程を通して往復するように、動力シリンダー内に摺動可能に収容されると共に該クランクシャフトに作動可能に連結された動力ピストン、
該クランクシャフトの１回転中の吸気行程と圧縮行程を通して往復するように、圧縮シリンダー内に摺動可能に収容されると共に該クランクシャフトに作動可能に連結された圧縮ピストン、
該圧縮シリンダーと該動力シリンダーとを作動可能に相互に連結するガスクロスオーバー通路であって、両者間に圧力チャンバーを画成する入口弁及び出口弁を含むガスクロスオーバー通路、
該圧力チャンバーの該入口弁及び該出口弁の間の位置でリザーバー通路によって該圧力チャンバーに作動可能に連結されている空気リザーバーであって、圧縮シリンダーから圧縮空気を受け入れ、且つ、エンジンの運転中に動力をクランクシャフトに伝達するのに用いるために該圧縮空気を動力シリンダーに配送するべく、選択的に作動可能な空気リザーバー、
該圧縮シリンダー、該動力シリンダー,及び該空気リザーバーの内外へのガスの流れを選択的に制御する弁、
を備える分割サイクル空気ハイブリッド航空機エンジンであって、
該エンジンは航空機に搭載され、且つ、該空気リザーバーが該航空機に配置されており、
該エンジンは、高圧(ＨＰ)モードで作動可能であり、該ＨＰモードでは、
該圧縮シリンダーが、膨張行程及び排気行程を有する動力シリンダーとして作動するべく選択的に制御可能であり、及び
該動力シリンダー及び圧縮シリンダーの両者が空気リザーバーから圧縮空気を受け入れ、該圧縮空気が、該動力シリンダー及び圧縮シリンダーのそれぞれの膨張行程において膨張され、そして、それぞれの排気行程において排出される
ことを特徴とする分割サイクル空気ハイブリッド航空機エンジン。
【請求項２】
該航空機は翼を有し、該空気リザーバーが該翼に配置されていることを特徴とする請求項１の分割サイクル空気ハイブリッド航空機エンジン。
【請求項３】
該航空機はそれぞれの翼に翼桁を有し、該空気リザーバーが該翼桁の少なくとも１つに配置されていることを特徴とする請求項２の分割サイクル空気ハイブリッド航空機エンジン。
【請求項４】
該航空機は、コックピット、尾翼、及び該尾翼近傍の後部胴体を有し、該空気リザーバーが該後部胴体に配置されていることを特徴とする請求項１の分割サイクル空気ハイブリッド航空機エンジン。
【請求項５】
該空気リザーバーは該尾翼近傍に配置されていることを特徴とする請求項４の分割サイクル空気ハイブリッド航空機エンジン。
【請求項６】
該圧縮シリンダーは、圧縮ピストンを圧縮モード又はアイドルモードに置くために、選択的に制御可能であることを特徴とする請求項１の分割サイクル空気ハイブリッド航空機エンジン。
【請求項７】
該動力シリンダーは、動力ピストンを動力モード又はアイドルモードに置くために、選択的に制御可能であることを特徴とする請求項１の分割サイクル空気ハイブリッド航空機エンジン。
【請求項８】
該エンジンは、少なくとも内燃エンジン(ＩＣＥ)モード、空気圧縮機(ＡＣ)モード及び予圧縮空気動力(ＰＡＰ)モードで作動可能であり、
ＩＣＥモードでは、圧縮ピストン及び動力ピストンはそれぞれそれらの圧縮及び動力モードにあり、圧縮ピストンが吸入空気を引き入れて、動力シリンダーでの使用のために圧縮し、そして圧縮空気が膨張行程の始まりにおいて燃料と共に動力シリンダーに受け入れられ、燃料は動力ピストンの同じ膨張行程において着火され、燃焼され、及び、膨張されて、動力をクランクシャフトに伝達し、そして、燃焼生成物が排気行程で排出され、
ＡＣモードでは、圧縮ピストンは圧縮モードにあり、動力シリンダーでの後の使用のために空気リザーバーに貯留される空気を引き入れて圧縮し、及び
ＰＡＰモードでは、動力シリンダーは動力モードにあり、動力ピストンの膨張行程で膨張される圧縮空気を空気リザーバーから受け取り、動力をクランクシャフトへ伝達し、膨張された空気が排気行程で排出される、
ことを特徴とする請求項７の分割サイクル空気ハイブリッド航空機エンジン。
【請求項９】
ＰＡＰモードでは、燃料が膨張行程の始まりにおいて圧縮空気と混合され、混合気が動力ピストンの同じ膨張行程で着火され、燃焼され、そして膨張され、クランクシャフトに動力を伝達し、そして燃焼生成物が排気行程で排出されることを特徴とする請求項８の分割サイクル空気ハイブリッド航空機エンジン。
【請求項１０】
ＰＡＰモードでは、動力シリンダーに受け入れられた圧縮空気が、燃料を加えることなく、すなわち、燃焼を始めることなく、膨張されることを特徴とする請求項８の分割サイクル空気ハイブリッド航空機エンジン。
【請求項１１】
動力シリンダーでは、膨張行程の始まりにおいて燃料が圧縮空気と混合され、動力シリンダーの同じ膨張行程で着火され、燃焼され、そして膨張され、及び
圧縮シリンダーでは、圧縮シリンダーに受け入れられた圧縮空気が、燃料を加えることなく、すなわち、燃焼を始めることなく、圧縮シリンダーの膨張行程で膨張されることを特徴とする請求項１の分割サイクル空気ハイブリッド航空機エンジン。
【請求項１２】
燃料は、動力ピストンがその上死点（ＴＤＣ）位置に到達後、５ないし４０度のクランク角（ＣＡ）の範囲内で、着火されることを特徴とする請求項１の分割サイクル空気ハイブリッド航空機エンジン。
【請求項１３】
燃料は、動力ピストンがその上死点（ＴＤＣ）位置に到達後、１０ないし３０度のクランク角（ＣＡ）の範囲内で、着火されることを特徴とする請求項１２の分割サイクル空気ハイブリッド航空機エンジン。
【請求項１４】
クランクシャフト軸線を中心として回転するクランクシャフト、
該クランクシャフトの周りに半径方向に配置された複数の動力シリンダーを含む動力バンク、
該クランクシャフトの単一の回転中の膨張行程と排気行程を通して往復するように、動力シリンダー内に摺動可能に収容されると共に該クランクシャフトに作動可能に連結された動力ピストン、
該動力バンク軸線方向に隣接するであって、該クランクシャフトの周りに半径方向に配置され、動力シリンダーの数と等しい量の複数の圧縮シリンダーを含む圧縮バンク、
該クランクシャフトの単一の回転中の吸気行程と圧縮行程を通して往復するように、圧縮シリンダー内に摺動可能に収容されると共に該クランクシャフトに作動可能に連結された圧縮ピストン、
各圧縮ピストンは関連付けられた動力ピストンと対にされており、
圧縮及び動力シリンダーの対の各々は、該圧縮シリンダーと該動力シリンダーとを作動可能に相互に連結するガスクロスオーバー通路であって、両者間に圧力チャンバーを画成する入口弁及び出口弁を含むガスクロスオーバー通路を含み、及び
該圧縮シリンダーへの、及び、該動力シリンダーからのガスの流れを制御する弁、
を備えることを特徴とする分割サイクルの星形エンジン。
【請求項１５】
圧縮バンクの圧縮シリンダーは、動力バンクの動力シリンダーに対して角度付けられていることを特徴とする請求項１４の分割サイクルの星形エンジン。
【請求項１６】
それぞれの圧縮シリンダーの長手方向の軸線は、クランクシャフトの回転軸線からオフセットされていることを特徴とする請求項１４の分割サイクルの星形エンジン。
【請求項１７】
それぞれの動力シリンダーの長手方向の軸線は、クランクシャフトの回転軸線からオフセットされていることを特徴とする請求項１４の分割サイクルの星形エンジン。
【請求項１８】
圧縮ピストンは、動力ピストンより短いストロークを有することを特徴とする請求項１４の分割サイクルの星形エンジン。
【請求項１９】
圧縮シリンダーは、動力シリンダーより大きい直径を有することを特徴とする請求項１４の分割サイクルの星形エンジン。
【請求項２０】
動力シリンダーは、クランクシャフトが回転するにつれ連続的な順で発火するべく配置されていることを特徴とする請求項１４の分割サイクルの星形エンジン。
【請求項２１】
燃料は、それぞれの動力シリンダーにおいて、動力シリンダーに関連付けられている動力ピストンがその上死点位置に到達した後、５ないし４０度のクランク角の範囲内で着火されることを特徴とする請求項１４の分割サイクルの星形エンジン。
【請求項２２】
圧力チャンバーの入口弁及び出口弁の間の位置でリザーバー通路によって該圧力チャンバーに作動可能に連結されている空気リザーバーであって、圧縮空気を受け入れ、且つ、配送するべく、選択的に作動可能な空気リザーバーを含むことを特徴とする請求項１４の分割サイクルの星形エンジン。
【発明の詳細な説明】
【技術分野】
【０００１】
本発明は分割サイクルエンジン、より詳しくは、分割サイクル航空機エンジンに関する。
【背景技術】
【０００２】
本出願に用いられている用語、分割サイクルエンジンは、エンジン技術分野における当業者に一般に知られ、定着した意味をまだ受け取っていないかもしれない。したがって、明瞭化の目的のために、先行技術に開示されたエンジンに適用され、そして本出願で言及され得るように、用語、分割サイクルエンジンついて、次の定義が提供される。
【０００３】
ここに言及される分割サイクルエンジンは、
エンジンのクランクシャフト軸線を中心として回転するクランクシャフト、
該クランクシャフトの１回転中の動力（すなわち、膨張）行程と排気行程を通して往復するように、動力シリンダー内に摺動可能に収容されると共に該クランクシャフトに作用的に連結された動力ピストン、
該クランクシャフトの１回転中の吸気行程と圧縮行程を通して往復するように、圧縮シリンダー内に摺動可能に収容されると共に該クランクシャフトに作用的に連結された圧縮ピストン、及び
該圧縮シリンダーと該動力シリンダーとを相互に連結するガス通路であって、両者間に圧力チャンバーを画成する入口及び出口（すなわち、クロスオーバー）のバルブとを含むガス通路、を備えている。
【０００４】
本発明の譲受人に全て譲渡されている特許文献１、特許文献２及び特許文献３は、ここに定義されたような分割サイクル内燃機関の例を開示している。これらの特許は、これらの特許が許可される際に背景として引用された、米国及び外国の特許及び出版物の広範囲なリストを含んでいる。用語、「分割サイクル」はこれらのエンジンのために用いられてきた。というのも、これらは、従来の圧力/容積オットーサイクルの４つの行程（すなわち、吸入、圧縮、動力、排気）を、２つの専用のシリンダー（すなわち、一のシリンダーは高圧の圧縮行程に、他のシリンダーは高圧の動力行程に専用される）によって、文字通り分割するからである。
【０００５】
航空機エンジンに関連している技術分野では、航空学的用途のために星形エンジンを使用することが知られている。例えば、星形エンジンは、第二次世界大戦の航空機及び初期モデルの商用飛行機で一般に用いられた。星形エンジンは、若干のプロペラ駆動の航空機で現在もまだ用いられている。
【０００６】
星形エンジンは、直列及びＶ型のエンジンのような他の普通の内燃エンジンとは、エンジンシリンダーの配列において異なる。星形エンジンでは、シリンダーと対応するピストンがエンジンクランクシャフトの周りに円形のパターンで半径方向に配置される。
【０００７】
星形エンジンは、飛行機への適用のためには有利である。というのも、それらは大きい量の出力を生じさせることができ、それらは、プロペラを駆動するのに減速ギアの必要性を回避して、相対的に低い最大エンジン速度（ｒｐｍ）を持ち、そして、それらは水冷システムの必要性を排除して、空冷に適しているからである。
【０００８】
星形エンジンは、信頼性が高い航空機エンジンであり、そして他の型式の航空機エンジンよりも安価であるけれども、飛行機での星形エンジンの使用は実質的に減少している。従来の星形エンジンは騒々しく、そして他のエンジン設計よりも多くのオイルを消費する傾向がある。また、従来の星形エンジンは、エンジンの不使用の間にオイルが下方のシリンダーに徐々に流れるというような機械的問題を有している。このオイルは、エンジンの始動の前に、手動でエンジンを回動することによって、シリンダーから取り除かれねばならず、それはパイロット又は地上整備員にとって不便である。
【０００９】
航空機エンジンの技術分野ではまた、航空機のプロペラを駆動するのに、「ボクサー」エンジンとしてまた知られている、水平対向エンジンを用いることが知られている。ボクサー型式のエンジンは、エンジンシリンダーが水平方向に対向された関係で配列されているという点で、他の内燃エンジンと異なる。
【００１０】
水平対向エンジンは、よりコンパクト（小型）であり、そして他のエンジン構成よりも低い重心を有するという利点を有している。水平対向エンジンは、星形エンジンのように、潜在的に、別個のエンジン冷却システムの必要性を排除して、そしてそれによってエンジンの全体重量を軽減させて、空冷であってもよい。それ故に、水平対向エンジンは航空機の用途に適している。水平対向エンジンはまた、それぞれのピストンの運動量がそれに対向しているピストンの対応する運動によって釣り合わされるので、良好に均衡がとれている。このことは、バランスシャフト又はクランクシャフト上の釣合い錘の必要性を減少又は排除しさえし、さらに、エンジンの全体的な重量を減らす。
【００１１】
しかしながら、水平対向エンジンは、Ｖ型エンジン及び直列エンジンのような他のエンジン構成よりもノイズが多い。また、水平対向エンジンはエンジン区画内に取り付けるのがより困難である。というのも、水平対向エンジンは他のエンジン構成よりも幅広になる傾向があるからである。
【００１２】
航空機において、圧縮空気について多くの用途があることは航空学でさらに知られている。しかしながら、従来の航空機は、便利で効率的な圧縮空気源を欠いており、これにより圧縮空気の可能性ある使用を実行不可能にしている。
【先行技術文献】
【特許文献】
【００１３】
【特許文献１】米国特許第６,５４３,２２５号明細書
【特許文献２】米国特許第６,６０９,３７１号明細書
【特許文献３】米国特許第６,９５２,９２３号明細書
【発明の概要】
【００１４】
本発明は、圧縮空気を貯留して、そしてその圧縮空気をエンジン又は他の航空機の構成部品に配送することができる、プロペラ駆動の航空機用の種々の分割サイクルのエンジン配列を提供する。
【００１５】
本発明の１つの実施形態において、分割サイクルの空気ハイブリッド航空機エンジンは、クランクシャフトの軸線回りに回転するクランクシャフトを含む。動力ピストンは、動力シリンダーの中に摺動可能に収容され、そして、クランクシャフトの単一の回転の間に膨張行程と排気行程を経て動力ピストンが往復運動をするように、作動可能にクランクシャフトに連結されている。圧縮ピストンは圧縮シリンダーの中に摺動可能に収容され、そして、クランクシャフトの単一の回転の間に吸気行程と圧縮行程を経て圧縮ピストンが往復運動をするように、作動可能にクランクシャフトに連結されている。ガスクロスオーバー通路は、圧縮シリンダーと動力シリンダーを作動可能に相互に連結している。ガスクロスオーバー通路は入口弁と出口弁を含み、それらはそれらの間に圧力チャンバーを画成している。空気リザーバーは、圧力チャンバーの入口弁と出口弁との間の位置でリザーバー通路によって圧力チャンバーと作動可能に連結されている。空気リザーバーは、圧縮シリンダーから圧縮空気を受け取るべく、且つ、エンジン運転中にクランクシャフトに動力を伝達するときに用いるために動力シリンダーに圧縮空気を配送するべく、選択的に作動可能である。空気リザーバーはまた、航空機の他の構成部品に圧縮空気を配送することができる。弁は、圧縮及び動力シリンダー、及び、空気リザーバーの内外のガスの流れを選択的に制御する。エンジンは航空機に搭載され、そして空気リザーバーは航空機内に配置される。選択肢として、空気リザーバーは航空機の翼、航空機の後部胴体又はその両者に位置されてもよい。空気リザーバーのための代替位置は本発明の範囲内である。
【００１６】
もう１つの本発明の実施形態では、航空機の用途で用いられる水平対向（すなわち、「ボクサー」）エンジンが提供される。分割サイクルの水平対向エンジンは、動力シリンダーが１回転置きと言うよりもクランクシャフトの回転毎に一度発火することを許容して、そして圧縮シリンダーがクランクシャフトの回転毎に充填空気を圧縮することを可能にする。分割サイクルの水平対向エンジンはまた、圧縮シリンダーが、エンジンの中に吸入される空気の容積を増やすために、動力シリンダーに比べてより大きい直径で作動することを許容し、外部の過給機の使用なしでのエンジンの過給を可能にする。
【００１７】
より詳細には、本発明による分割サイクルの水平対向（「ボクサー」）エンジンは、クランクシャフト軸線回りに回転できるクランクシャフトを含む。分割サイクルのボクサーエンジンは、さらに、クランクシャフトのいずれかの側に一対の水平に対向された動力シリンダーを含む。動力ピストンがそれぞれの動力シリンダーの中に摺動可能に収容され、そして、それぞれの動力ピストンがクランクシャフトの単一の回転の間に膨張行程と排気行程を通して往復運動をするように、クランクシャフトと作動可能に連結されている。
【００１８】
分割サイクルのボクサーエンジンはまた、クランクシャフトのいずれかの側に同じく一対の水平に対向された圧縮シリンダーを含んでいる。圧縮ピストンは、それぞれの圧縮シリンダーの中に摺動可能に収容され、そして、それぞれの圧縮ピストンがクランクシャフトの単一の回転の間に吸気行程と圧縮行程を通して往復運動をするように、クランクシャフトと作動可能に連結されている。ガスクロスオーバー通路がそれぞれの圧縮シリンダーを軸線方向に隣接する関連付けられた動力シリンダーと相互に連結している。ガスクロスオーバー通路は、間に圧力チャンバーを画成している入口弁と出口弁を含む。弁は圧縮シリンダーの中への、そして、動力シリンダーから出るガスの流れを制御する。空気リザーバーは、それぞれの圧力チャンバーの入口弁との出口弁の間の位置でリザーバー通路によって圧力チャンバーと作動可能に連結されてもよい。空気リザーバーは、圧縮空気を受け取り、且つ、配送するべく選択的に作動可能である。
【００１９】
本発明のさらにもう１つの実施形態では、航空機の用途に用いられ得る分割サイクルの星形エンジンが提供される。分割サイクルの星形エンジンは、シリンダーの連続的な発火を可能にし、エンジンのトルクを増大させる。分割サイクルの星形エンジンはまた、クランクシャフトに対してエンジンシリンダーをオフセットさせることを可能にし、さらに、エンジンのトルクを増やし、そしてピストンスカート摩擦を減少させる。さらに、分割サイクルの星形エンジンは、より大きい容積の充填吸入空気を吸い込むことができ、空気が希薄な高い高度でのエンジン性能を改善する。
【００２０】
より詳細には、本発明による分割サイクルの星形エンジンは、クランクシャフトの軸線回りに回転するクランクシャフトを含んでいる。分割サイクルの星形エンジンは、クランクシャフトの周りに半径方向に配置された複数の動力シリンダーを含む動力バンクをさらに含む。動力ピストンは、それぞれの動力シリンダーの中に摺動可能に収容され、そして、それぞれの動力ピストンがクランクシャフトの単一の回転の間に膨張行程と排気行程を通して往復運動をするように、クランクシャフトと作動可能に連結されている。圧縮バンクは、動力バンクに軸線方向に隣接している。圧縮バンクは、クランクシャフトの周りに半径方向に配置され動力シリンダーの数に等しい量の複数の圧縮シリンダーを含む。圧縮ピストンは、それぞれの圧縮シリンダーの中に摺動可能に収容され、そして、それぞれの圧縮ピストンがクランクシャフトの単一の回転の間に吸気行程と圧縮行程を通して往復運動をするように、クランクシャフトと作動可能に連結されている。それぞれの圧縮シリンダーは関連付けられた動力シリンダーと対にされている。それぞれの圧縮及び動力シリンダーの対は、圧縮シリンダーとその対の動力シリンダーを相互に連結するガスクロスオーバー通路を含む。ガスクロスオーバー通路は、間に圧力チャンバーを画成している入口弁と出口弁を含む。弁がまた、圧縮シリンダーへの、及び、動力シリンダーからのガスの流れを制御するべく設けられている。空気リザーバーは、それぞれの圧力チャンバーの入口弁と出口弁の間の位置でリザーバー通路によって圧力チャンバーと作動可能に連結されてもよい。空気リザーバーは、圧縮空気を受け取り、且つ、配送するべく選択的に作動可能である。
【００２１】
本発明のこれらと他の特徴及び利点は、添付の図面を伴う以下の本発明の詳細な説明からより十分に理解されるであろう。
【図面の簡単な説明】
【００２２】
【図１】本発明の分割サイクル空気ハイブリッドエンジン及び圧縮空気タンクを含む航空機の模式的側面図である。
【図２】図１の航空機の模式的平面図である。
【図３】図２において、３‐３線で取った航空機の断面図である。
【図４】空気貯留タンクを有し、エンジンのピストンが上死点付近にあるのを示す、本発明による水平対向（ボクサー）エンジンの模式図である。
【図５】図４において、５‐５線で取った分割サイクル水平対向エンジンの断面図である。
【図６】図４において、６‐６線で取った分割サイクル水平対向エンジンの断面図である。
【図７】ピストンが下死点付近にあるのを示す、図４の分割サイクル水平対向エンジンの他の模式図である。
【図８】図７において、８‐８線で取った分割サイクル水平対向エンジンの断面図である。
【図９】図７において、９‐９線で取った分割サイクル水平対向エンジンの断面図である。
【図１０】空気貯留タンクを有し、本発明による分割サイクル星形エンジンの模式図である。
【図１１】図１０の分割サイクル星形エンジンの圧縮バンクの模式図である。
【図１２】図１０の分割サイクル星形エンジンの動力バンクの模式図である。
【発明を実施するための形態】
【００２３】
今、図面を詳細に参照するに、符号１０は全体としてプロペラ駆動の航空機を示す。図１ないし３に示されるように、航空機１０は、一対の翼１２、翼１２内の翼桁１４、コックピット１６、尾翼１８及び後部胴体２０を有している。航空機１０は、両翼１２に及んでいる１つの翼桁１４を有するか、又は別個の翼桁がそれぞれの翼１２に位置されてもよい。本発明による分割サイクルエンジン２２は、プロペラ２４を駆動するためにコックピット１６の前方で航空機１０搭載にされている。空気貯留タンク２６は、翼桁１４、後部胴体２０、又は両者に位置されてもよい。空気貯留タンクはまた、航空機１０内の他の適切な位置、例えば、翼桁１４以外の翼１２の中の適切な位置に位置されてもよい。
【００２４】
最初に図４ないし図９に向かうと、本発明の一実施形態において、分割サイクルエンジン２２は水平対向（「ボクサー」）式の分割サイクルエンジンであることができる。分割サイクルのボクサーエンジン２２は、クランクシャフト軸線３０の回りに回転するクランクシャフト２８を含んでいる。分割サイクルのボクサーエンジン２２は、クランクシャフト２８のいずれかの側に水平に対向する一対の動力シリンダー３４をさらに含む。動力ピストン３６はそれぞれの動力シリンダー３４の中に摺動可能に収容され、そして、それぞれの動力ピストン３６がクランクシャフト２８の単一の回転の間に、膨張行程と排気行程を通して往復運動するように、作動可能にクランクシャフト２８と連結されている。分割サイクルのボクサーエンジン２２はまた、クランクシャフト２８のいずれかの側に水平に対向する一対の圧縮シリンダー４０を含んでいる。圧縮ピストン４２はそれぞれの圧縮シリンダー４０の中に摺動可能に収容され、そして、それぞれの圧縮ピストン４２がクランクシャフト２８の単一の回転の間に、吸気行程と圧縮行程を通して往復運動するように、作動可能にクランクシャフト２８と連結されている。ガスクロスオーバー通路４４は各圧縮シリンダー４０を関連づけられた、軸線方向に隣接する動力シリンダー３４に相互に連結している。ガスクロスオーバー通路４４は、圧力チャンバー５０を間に画成している入口弁４６及び出口弁４８を含む。圧力チャンバー５０内の空気圧は、エンジンのサイクルを通して上昇された最小圧力に維持される。弁５２が圧縮シリンダー４０へのガス流れ、及び動力シリンダー３４からのガス流れを制御する。弁４４、４６、５２は、チェック弁、ポペット弁、又は他の全ての適切な弁であってもよい。弁４４、４６、５２は、カムによる駆動、電子的駆動、空気圧での駆動、又は油圧での駆動であってもよい。空気リザーバー２６は、それぞれの圧力チャンバー５０の入口弁４６と出口弁４８の間の位置でのリザーバー通路５４によって、圧力チャンバー５０と作動可能に連結されていてもよい。空気リザーバー２６は、圧縮空気を受け入れ且つ配送するべく選択的に作動可能である。
【００２５】
図４ないし図９に示される分割サイクルのボクサーエンジン２２は、合計で４つのシリンダーにつき一対の動力シリンダー３４と一対の圧縮シリンダー４０を含む。もし追加の馬力が望まれるなら、合計で８つのシリンダーにつき、もう一対の動力シリンダー３４ともう一対の圧縮シリンダー４０が加えられてもよい。しかしながら、エンジン２２は、偶数の動力シリンダー及び偶数の圧縮シリンダーがあり、（それぞれの動力シリンダーは圧縮シリンダーと対にされなければならないので）動力及び圧縮シリンダーの等しい数がある限り、シリンダーの数はいくつでもよいことが理解されるべきである。
【００２６】
動力シリンダー３４は、エンジン運転中においてより高温の動力シリンダー３４の改善された空気冷却を許容するために、圧縮シリンダー４０の前に配置されてもよい。各圧縮シリンダー４０及び各動力シリンダー３４の長手方向の軸線５６は、クランクシャフト２８の回転軸線３０からオフセットされてもよい。クランクシャフトの軸線３０からシリンダーの軸線５６をオフセットすることで、より大きな機械的利益と増大されたトルクを得ることができる。エンジン２２のそれぞれの側で、一対の水平に対向するシリンダーの一方がクランクシャフト２８の回転軸線３０より上方に上げられ、他方がクランクシャフト２８の回転軸線３０より下方に下げられている。さらに、圧縮シリンダー４０は動力シリンダー３４から分離しているので、圧縮シリンダー４０は動力シリンダー３４より大きい直径を有するべく設計され得る。このことは、動力シリンダー３４より大きい容積を有する圧縮シリンダー４０となり、外部の過給機を用いることなく、エンジンが過給されることを可能にする。このことはまた、従来のエンジンと比較して、希薄な空気のより大きい容積をエンジンに吸入するのを許すことによって、より高い高度でのエンジン効率を改善することができる。動力ピストン３６はまた、動力シリンダー３４でガスを余剰に膨張させ且つ増大された効率、すなわち、ミラー効果をもたらすためのより長いストロークの圧縮ピストン４２と比較して、クランクシャフト２８のより長いスローを有して設計することができる。
【００２７】
圧縮ピストン４２は、動力ピストン３６の後に（クランクの回転角で）僅かに遅れをとる。これは、隣接する対のピストンが１８０度のクランク角度離れて移動する従来の水平対向エンジンと対照的である。エンジン２２の運転中に、圧縮ピストン４２が上死点（ＴＤＣ）に達するとき、動力ピストン３６は既にＴＤＣ到達し、そして動力行程を開始している。燃料は、動力シリンダー３４に関連付けられた動力ピストン３６が、その上死点位置に到達した後（ＡＴＤＣの角度）、５から４０のクランク角度の範囲内で、各動力シリンダー３４において点火される。好ましくは、燃料は、ＡＴＤＣ１０から３０度の範囲内で、各動力シリンダー３４において点火される。
【００２８】
図４から図６は、およそＴＤＣ位置にある圧縮ピストン４２と、ＴＤＣから下死点（ＢＤＣ）に向けて去っている動力ピストン３６とを図示している。クランクシャフト２８の回転方向（図５）及び動力ピストン３６の相対的な運動（図６）が、それらの対応する構成部品に関連付けられた矢印で、図面に示されている。図７から図９は、およそＢＤＣ位置にある圧縮ピストン４２と、ＢＤＣからＴＤＣに向かって去っている動力ピストン３６とを図示している。クランクシャフト２８の回転方向（図８及び図９）と動力ピストン３６及び圧縮ピストン４２の相対運動（図７及び図９）がそれらの対応する構成部品に関連付けられた矢印で、図面に示されている。
【００２９】
動力ピストン３６は、クランクシャフト軸線３０に関して１８０度離間している別のクランクピン／ジャーナル４３によって、クランクシャフト２８に作動可能に連結されてもよい。したがって、対の動力ピストン３６は、同時に、上死点に到達する。同様に、圧縮ピストン４２は、クランクシャフト軸線３０に関して同じく１８０度離間している別のクランクピン／ジャーナル４３によって、クランクシャフト２８に作動可能に連結されてもよい。したがって、対の圧縮ピストン４２はまた、同時に、上死点に到達する。
【００３０】
点火プラグ（不図示）が、点火制御による精確な時点での空気−燃料充填物を着火すべく、各動力シリンダー３４中に延在することができる。もし望むなら、エンジン２２はディーゼルエンジンとして形成されてもよく、そして、点火プラグなしで運転され得ることが理解されるべきである。さらに、エンジン２２は、一般に、往復ピストンエンジンに適した、水素、天然ガス又はバイオディーゼルの如何なる燃料でも作動すべく設計されてもよい。
【００３１】
空気リザーバー２６の使用により、分割サイクルのエンジン２２は空気ハイブリッドとしての機能を果たすことができる。圧縮シリンダー４０は、圧縮ピストン４２を圧縮モード又はアイドルモードに置くべく、選択的に制御可能である。動力シリンダー３４は、同様に、動力ピストン３６を動力モード又はアイドルモードに置くべく、選択的に制御可能である。さらに、エンジン２２は、内燃エンジン（ＩＣＥ）モード、空気圧縮機（ＡＣ）モード、及び、予圧縮空気動力（ＰＡＰ）モードを含む、少なくとも３つのモードで作動可能であってもよい。ＩＣＥモードでは、圧縮ピストン４２と動力ピストン３６とが、それぞれ、圧縮及び動力モードにある。そこで、圧縮ピストン４２は、空気を吸引し、動力シリンダー３４で用いるために吸入空気を圧縮し、そして、圧縮された空気は膨張行程の始めに燃料と共に動力シリンダー３４に受け入れられる。これは、動力ピストン３６の同一の膨張行程で点火され、燃焼され、そして膨張され、クランクシャフト２８に動力を伝達し、燃焼生成物が排気行程で排出される。ＡＣモードでは、圧縮ピストン４２は圧縮モードにあり、空気を吸引し、以下により詳細に説明されるように、動力シリンダー又は他の航空機構成部品において後で用いるために空気リザーバー２６に蓄えられる空気を圧縮する。ＰＡＰモードでは、動力シリンダー３４は動力モードにあり、そして、空気リザーバー２６から動力ピストン３６の膨張行程で膨張される圧縮空気を受け取り、クランクシャフト２８に動力を伝達し、そして膨張された空気は排気行程で排出される。
【００３２】
選択肢として、ＰＡＰモードでは、燃料が膨張行程の始まりにおいて圧縮空気と混合され、この混合気が動力ピストン３６の同一の膨張行程で点火され、燃焼され、そして膨張され、クランクシャフト２８に動力を伝達し、燃焼生成物が排気行程で排出されてもよい。代わりに、ＰＡＰモードで、動力シリンダー３４に受け入れられた圧縮空気は、燃料の添加、すなわち、燃焼開始なしに膨張されてもよい。
【００３３】
超過の圧縮空気、すなわち、動力シリンダー３４で燃焼のために用いられない空気は、圧力チャンバー５０から空気貯留タンク２６にリザーバー通路５４を介して移送される。貯留された圧縮空気は種々の用途のために使われ得る。このような用途は、限定されるわけではないが、
ａ)電気式スターターに代えてのエンジンの始動、
ｂ)キャビンの加圧、
ｃ)加圧された航空機における膨張可能封止ドアの膨張、
ｄ)ブレーキシューを動作させる、及び／又は、回転している車輪に対する加圧空気の積極的な抵抗を介しての車輪制動、
ｅ)エンジンへの燃料噴射なしでの短距離タキシング（自らの動力による移動）のためのプロペラの回転（上記ＰＡＰモード参照）、
ｆ)エンジンを始動せず且つプロペラを回さずに、航空機を移動させるべく航空機の車輪を駆動する（安全なタキシングが可能）、
ｇ)着陸の際に車輪が地面に接触するときのタイヤの磨耗を減らすべく、着陸前に航空機の車輪の回転を上げる、
ｈ)迅速な停止のために、航空機の通常の制動に加えて航空機の車輪に制動力を提供する、
ｉ)圧縮シリンダーがアイドルモードのとき、圧縮空気で運転させる(上記ＰＡＰモード参照)、
ｊ)ジャイロを利用する飛行計器を作動させる、
ｋ)燃料ポンプの故障時に燃料圧力を提供する、
l)例えば、空気圧力調整弁が制御面に微調整された平衡用圧力を提供するべく用いられ、及び、前縁スラットを作動させ得るであろう、飛行制御機及び着陸装置を動作させる、
ｍ)航空機の翼から氷を駆遂する、
ｎ)衝突保護用のエアバッグを膨らませる、
ｏ)ロケットモーターに代えて、全航空機落下傘回復システムの全航空機回復落下傘を作動させる、
ｐ)緊急避難シュートを作動させる、
ｑ)特別用途の航空機から農薬,難燃剤、照明弾軍需品及び他の物品を展開する、ｒ)航空機の浮き及び水陸両用航空機の艇体から水を放出する、及び、
ｓ)低速時において渦発生器の作用を模倣すべく、翼頂部の小孔から空気を出すことを、含んでいる。
【００３４】
選択肢として、エンジン２２は、ここに高出力（ＨＰ）モードと指定される少なくとも第４のモードで、作動可能である。ＨＰモードでは、圧縮シリンダー４０が、事実上、吸気行程及び圧縮行程の代わりに膨張行程及び排気行程を有している追加の動力シリンダーとして作動するべく、選択的に制御可能である。
【００３５】
ＨＰモードの間は、大気が吸気弁５２を介して圧縮シリンダー４０の中に吸い込まれない。どちらかと言えば、圧縮シリンダー４０及び動力シリンダー３４の両方が空気リザーバー２６から圧縮空気を受け取り、それは、圧縮及び動力シリンダーのそれぞれの膨張行程で膨張され、そして、それらのそれぞれの排気行程において排出される。
【００３６】
ＨＰモードの好ましい実施形態では、動力ピストン３６が燃焼プロセスを通してクランクシャフト２８に動力を伝達する一方、圧縮ピストン４２は燃焼なしで空気リザーバー２６からの空気を膨張させるプロセスを通してクランクシャフト２８に動力を伝達する。すなわち、動力シリンダー３４において、燃料が膨張行程の始まりに圧縮空気と混合され、そして、混合気は、動力シリンダー３４の同じ膨張行程において、点火され、燃焼され、そして膨張される。一方、圧縮シリンダー４０では、圧縮シリンダー４０に受け入れられた圧縮空気が、燃料を加えることなく、すなわち、燃焼を開始することなく、圧縮シリンダー４０の膨張行程で膨張される。
【００３７】
ＨＰモードでエンジン２２を運転することは、空気リザーバー２６がＨＰモードを維持するのに十分な空気圧で充填されている限りの期間において、航空機に利用可能な動力行程の数を正に２倍にする。このモードは、山地の上を飛ぶために高度を増すか、又は短い離陸のための高速に速やかに加速するような、重大な短期の運転中に航空機への出力を増やすことに役立つ。さらに、空気リザーバーは、エンジン２２を離陸の際により長い期間ＨＰモードで運転できるようにするべく、地上での外部圧縮機によって余分に加圧され得る。
【００３８】
今、図１０ないし図１２に向かうに、本発明の代替の実施形態において、分割サイクルのエンジン１２２が星形の分割サイクルのエンジンであってもよい。分割サイクル星形エンジン１２２は、クランクシャフト軸線１３０の回りに回転できるクランクシャフト１２８を含む。エンジン１２２は、クランクシャフト１２８の周りに半径方向に配置された複数の動力シリンダー１３４を含む動力バンク１３２を有している。動力ピストン１３６はそれぞれの動力シリンダー１３４の中に摺動可能に収容され、そして、それぞれの動力ピストン１３６がクランクシャフト１２８の単一の回転の間に膨張行程と排気行程を通して往復運動をするように、クランクシャフト１２８に作動可能に連結されている。圧縮バンク１３８は動力バンク１３２に軸線方向に隣接している。圧縮バンク１３８は、クランクシャフト１２８の周りに半径方向に配置された複数の圧縮シリンダー１４０を含み、そして、動力シリンダー１３４の数に量において等しい。圧縮ピストン１４２はそれぞれの圧縮シリンダー１４０の中に摺動可能に収容され、そして、それぞれの圧縮ピストン１４２がクランクシャフト１２８の単一の回転の間に吸気行程と圧縮行程を通して往復運動をするように、クランクシャフト１２８に作動可能に連結されている。それぞれの圧縮シリンダー１４０は、関連づけられた動力シリンダー１３４と対にされている。それぞれの圧縮１４０と動力シリンダー１３４の対は、圧縮シリンダー１４０とこの対の動力シリンダー１３４とを相互に連結しているガスクロスオーバー通路１４４を含んでいる。ガスクロスオーバー通路１４４は、圧力チャンバー１５０を間に画成している入口弁１４６と出口弁１４８とを含む。圧縮シリンダー１４０の中へのガスの流れ、及び、動力シリンダー１３４からのガスの流れを制御するために弁１５２がまた設けられている。弁１４４、１４６、１５２は、チェック弁、ポペット弁、又は、他の全ての適切な弁であってもよい。弁１４４、１４６、１５２は、カムによる駆動、電子的駆動、空気圧での駆動、又は油圧での駆動であってもよい。空気リザーバー１２６は、それぞれの圧力チャンバー１５０の入口弁１４６と出口弁１４８の間の位置でのリザーバー通路１５４によって、圧力チャンバー１５０と作動可能に連結されていてもよい。空気リザーバー１２６は、圧縮空気を受け入れ且つ配送するべく選択的に作動可能である。
【００３９】
動力バンク１３２は、エンジン運転中においてより高温の動力バンク１３２の改善された空気冷却を許容するために、圧縮バンク１３８の前に配置されてもよい。圧縮バンク１３８の圧縮シリンダー１４０は、動力バンク１３２の動力シリンダー１３４に対して回転されてもよい。換言すると、圧縮シリンダー１４０は、動力シリンダー１３４と直接的に直列でなくてもよく、しかし代わりに、圧縮シリンダー１４０上の空気の流れを強めるために、概ねクランクシャフト１２８に関して数度回転されてもよい。さらに、それぞれの圧縮シリンダー１４０の長手方向の軸線１５６がクランクシャフト１２８の回転軸線１３０からオフセットされてもよい。同様に、それぞれの動力シリンダー１３４の長手方向の軸線１５６もまた、クランクシャフト１２８の回転軸線１３０からオフセットされてもよい。圧縮シリンダー１４０は、より大きい容積の吸入空気を許容するべく動力シリンダー１３４よりも大きい直径を有することができる。圧縮ピストン１４２はまた、動力ピストン１３６より短いストロークを有することができる。
【００４０】
動力ピストン１３６の１つは、第１の固定のマスターロッド１５８によってクランクシャフト１２８に作動可能に連結され、動力ピストン１３６の残りが関節ロッド１６０によって第１のマスターロッド１５８に作動可能に連結されてもよい。第１のマスターロッド１５８は、その一端部にハブ１６１を有す（そして、それ故にハブ１６１に固定されている）。関節ロッド１６０は、ナックルピン又は他の適切な手段によって、ハブに回動可能に連結されている。同様に、圧縮ピストン１４２の１つは、第２の固定のマスターロッド１６２によってクランクシャフト１２８に作動可能に連結され、圧縮ピストン１４２の残りが関節ロッド１６４によって第２のマスターロッド１６２に作動可能に連結されてもよい。第２のマスターロッドは、その一端部にハブ１６６を有す（そして、それ故にハブ１６６に固定されている）。関節ロッド１６４は、ナックルピン又は他の適切な手段によって、ハブ１６６に回動可能に連結されている。しかしながら、動力及び圧縮ピストンは、他の機械的な配列によってクランクシャフトに作動可能に連結されてもよいことが、理解されるべきである。
【００４１】
分割サイクルの星形エンジン１２２は、３つと９つとの間の動力シリンダー及び同数の圧縮シリンダーを有することができる。図面に示された実施形態では、エンジン１２２は５つの動力シリンダー１３４と５つの圧縮シリンダー１４０を有している。しかしながら、分割サイクルの星形エンジン１２２は、等しい数の動力及び圧縮シリンダーがあり、そして、少なくとも３つの動力シリンダーと３つの圧縮シリンダーがある限り、動力及び圧縮シリンダーの特定の数に限定されないことが、理解されるべきである。
【００４２】
もし追加の出力が望まれるなら、分割サイクルの星形エンジン１２２はまた、クランクシャフトの周りに半径方向に配置された複数の第２の動力バンクと、クランクシャフトの周りに半径方向に配置され、動力シリンダーの数と等しい数量の複数の圧縮シリンダーを含み、第２の動力バンクに軸線方向に隣接する第２の圧縮バンクと、を選択肢として含むことができる。第２の動力バンクは、４つのバンクが続けて一列に並べられるような方法で、第１の圧縮バンクに軸線方向に隣接することができる出力は。動力ピストンは第２の動力バンクのそれぞれの動力シリンダーの中に摺動可能に収容され、そして、それぞれの動力ピストンが、クランクシャフトの単一の回転の間に膨張行程と排気行程を通して往復運動をするように、作動可能にクランクシャフトに連結されている。同様に、圧縮ピストンはそれぞれの圧縮シリンダーの中に摺動可能に収容され、そして、それぞれの圧縮ピストンが、クランクシャフトの単一の回転の間に吸気行程と圧縮行程を通して往復運動をするように、作動可能にクランクシャフトに連結されている。第２の圧縮バンクのそれぞれの圧縮シリンダーは、第２の動力バンクの関連づけられた動力シリンダーと対にされている。第２の圧縮バンクと第２の動力バンクのそれぞれの圧縮及び動力シリンダーの対は、圧縮シリンダーとその対の動力シリンダーを相互に連結しているガスクロスオーバー通路を含む。ガスクロスオーバー通路は、間に圧力チャンバーを画成している入口弁と出口弁を含む。弁はまた、第２の圧縮バンクの圧縮シリンダーの中への、そして、第２の動力バンクの動力シリンダーからのガスの流れを制御する。分割サイクルの星形エンジン１２２は、動力及び圧縮バンクが等しい数である限り、如何なる数のバンクをも有し得ることが理解されるべきである。
【００４３】
圧縮ピストン１４２は、動力ピストン１３６の後に（クランクの回転角で）僅かに遅れをとる。エンジンの運転中に、圧縮ピストン１４２が上死点（ＴＤＣ）に達するとき、動力ピストン１３６は既にＴＤＣに到達し、そして動力行程を開始している。燃料は、動力シリンダー１３４に関連付けられた動力ピストン１３６が、その上死点位置に到達した後（ＡＴＤＣの角度）、５から４０のクランク角度の範囲内で、各動力シリンダー１３４において点火される。好ましくは、燃料は、ＡＴＤＣの１０から３０度の範囲内で、各動力シリンダー３４において点火される。動力シリンダー１３４は、クランクシャフトが回転するにつれて連続する順で発火するべく配列されてもよい。さらに、それぞれの動力シリンダー１３４は、クランクシャフト１２８の１回転毎に、一度、発火する。このことは、クランクシャフトが回転するとき、クランクシャフトの２回転毎につき全てのシリンダーが１回発火するように、１つ置きのシリンダーが発火する従来の４ストロークの星形エンジンと対照的である、クランクシャフト１２８の回転方向は、クランクシャフトに関連付けられている、図１０ないし図１２での矢印によって示されている。
【００４４】
不図示の点火制御器によって正確な時期に空気−燃料充填物に点火するために、動力シリンダー１３４の各々内に延在する電極を有している点火プラグ１６８が設けられてもよい。もし望むなら、エンジン１２２はディーゼルエンジンとして形成され、点火プラグなしで運転され得ることが理解されるべきである。
【００４５】
本発明が特定の実施形態を参照することによって説明されたけれども、多数の変更が、説明された本発明概念の趣旨及び範囲内でなされ得ることが理解されるべきである。したがって、本発明は、説明された実施形態に限定されず、次の請求項の言語によって定義される全範囲を有することが意図されている。
【図１】
2010522837.tif 000003
【図２】
2010522837.tif 000004
【図３】
2010522837.tif 000005
【図４】
2010522837.tif 000006
【図５】
2010522837.tif 000007
【図６】
2010522837.tif 000008
【図７】
2010522837.tif 000009
【図８】
2010522837.tif 000010
【図９】
2010522837.tif 000011
【図１０】
2010522837.tif 000012
【図１１】
2010522837.tif 000013
【図１２】
2010522837.tif 000014
【国際調査報告】
2010522837.tif 000015